(57)【特許請求の範囲】
【請求項１】
リモート制御の対象機器に対して電話回線を使用して制御信号を送信しリモート制御を行うリモート制御方式において、（Ａ）あらかじめ電話番号が登録された特定の電話機からの着信を検出するナンバーディスプレイ機能を具備し、前記特定の電話機からの着信があったときに着信音を、前記特定の電話機に対応する特定の着信音に変更する、充電式電池を内蔵した携帯式の無線電話機、（Ｂ）前記無線電話機の充電式電池を充電する充電器、（Ｃ）前記着信があったとき、前記着信を示す着信音が、前記電前話番号をあらかじめ登録された電話機からの着信時における着信音と同じであるか否かを判定する判定手段、を備え、前記着信を示す着信音が前記電話番号をあらかじめ登録された電話機からの着信時における着信音と同じであると前記判定手段が判定したとき、前記充電器に供給する電源をオフに制御し、前記充電器に供給する電源のオフ制御により前記無線電話機を疑似的にオフフック操作の場合と同じ動作状態にして前記無線電話機に着信応答動作を行わせ前記リモート制御を行うことを特徴とするリモート制御方式。
【請求項２】
リモート制御の対象機器に対して電話回線を使用して制御信号を送信しリモート制御を行うリモート制御方式において、（Ａ）あらかじめ電話番号が登録された特定の電話機からの着信を検出するナンバーディスプレイ機能を具備し、前記特定の電話機からの着信があったときに着信音を、前記特定の電話機に対応する特定の着信音に変更するコードレス電話親機、（Ｂ）前記コードレス電話親機の子機であり、充電式電池を内蔵するコードレス電話子機、（Ｃ）前記コードレス電話子機の充電式電池を充電する充電器、（Ｄ）前記着信があったとき、前記着信を示す着信音が、前記電話番号をあらかじめ登録された電話機からの着信時における着信音と同じであるか否かを判定する判定手段、を備え、前記着信を示す着信音が前記電話番号をあらかじめ登録された電話機からの着信時における着信音と同じであると前記判定手段が判定したとき、前記充電器に供給する電源をオフに制御し、前記充電器に供給する電源のオフ制御により前記コードレス電話子機を疑似的にオフフック操作の場合と同じ動作状態にして前記コードレス電話子機に着信応答動作を行わせ前記リモート制御を行うことを特徴とするリモート制御方式。
【請求項３】
リモート制御の対象機器に対して電話回線を使用して制御信号を送信しリモート制御を行うリモート制御方式において、（Ａ）あらかじめ電話番号が登録された特定の電話機からの着信を検出するナンバーディスプレイ機能を具備し、前記特定の電話機からの着信があったときに着信音を、前記特定の電話機に対応する特定の着信音に変更するコードレス電話親機、（Ｂ）前記コードレス電話親機の子機であり、充電式電池を内蔵するコードレス電話子機、（Ｃ）前記コードレス電話子機の充電式電池を充電する充電器、（Ｄ）前記充電器に給電のためセットされた状態にある前記コードレス電話子機の受話器に装着される音響カプラ、（Ｅ）前記電話番号が登録された電話機からの着信があったときの着信音の波形値を示すディジタルデータをあらかじめ記憶しておく記憶手段、（Ｆ）前記音響カプラから出力される着信音の波形値が前記着信音記憶部に記憶された着信音の波形値と同じであるか否かを判定し、同じであったとき、前記充電器に供給する電源をオフに制御する制御手段、を備え、前記制御手段による前記充電器に供給する電源のオフ制御により前記コードレス電話子機を疑似的にオフフック操作の場合と同じ動作状態にして前記コードレス電話子機に着信応答動作を行わせ前記リモート制御を行うことを特徴とするリモート制御方式。
【請求項４】
リモート制御の対象機器に対して電話回線を使用して制御信号を送信しリモート制御を行うリモート制御方式において、（Ａ）あらかじめ電話番号が登録された特定の電話機からの着信を検出するナンバーディスプレイ機能を具備し、前記特定の電話機からの着信があったときに着信音を、前記特定の電話機に対応する特定の着信音に変更するコードレス電話親機、（Ｂ）前記コードレス電話親機の子機であり、充電式電池を内蔵するコードレス電話子機、（Ｃ）前記リモート制御の対象機器から電源の供給を受け、前記コードレス電話子機の充電式電池を充電する充電器、（Ｄ）前記充電器に給電のためセットされた状態にある前記コードレス電話子機の受話器に装着される音響カプラ、（Ｅ）前記リモート制御の対象機器内に設けられ、前記リモート制御の対象機器のリモート制御を行うため前記コードレス電話親機に対して発信するために使用される電話機からの着信があったとき、前記音響カプラから出力されるアナログ電気信号が示す前記着信音のアナログ波形値をディジタル化し前記着信音の波形値を示すディジタルデータとして出力する音響カプラインタフェース部、（Ｆ）前記リモート制御の対象機器内に設けられ、前記電話番号が登録された電話機からの着信時の着信音の波形値を示すディジタルデータをあらかじめ記憶しておく着信音記憶部、（Ｇ）前記リモート制御の対象機器内に設けられ、前記着信音の波形値が前記着信音記憶部に記憶された着信音の波形値と同じであったとき、前記充電器に供給する電源をオフに制御する充電器インタフェース部、（Ｈ）前記リモート制御の対象機器内に設けられ、前記着信音の波形値が前記着信音記憶部に記憶された着信音の波形値と同じであるか否かを判定し、同じであるとき、前記充電器インタフェース部に前記充電器へ供給する電源をオフにさせるよう制御する制御手段、を備え、前記制御手段による前記充電器に供給する電源のオフ制御により前記コードレス電話子機を疑似的にオフフック操作の場合と同じ動作状態にして前記コードレス電話子機に着信応答動作を行わせ前記リモート制御を行うことを特徴とするリモート制御方式。
【請求項５】
請求項１記載のリモート制御方式において、前記リモート制御の対象機器に対して電話回線を使用して送信された前記制御信号による、前記リモート制御の対象機器に対する制御が完了したとき、前記充電器の電源をオンに制御し前記充電器に供給する電源のオン制御により、それまで前記充電器より外されたときの動作状態と同様のオフフックの動作状態にあった前記無線電話機がオンフックの動作状態に戻って、前記電話番号登録された電話機との接続を解除する動作を行うことを特徴とするリモート制御方式。
【請求項６】
請求項２、請求項３または請求項４記載のリモート制御方式において、前記リモート制御の対象機器に対して電話回線を使用して送信された前記制御信号による、前記リモート制御の対象機器に対する制御が完了したとき、前記充電器の電源をオンに制御し前記充電器に供給する電源のオン制御により、それまで前記充電器より外されたときの動作状態と同様のオフフックの動作状態にあった前記コードレス電話子機がオンフックの動作状態に戻って、前記電話番号登録された電話機との接続を解除する動作を行うことを特徴とするリモート制御方式。
【請求項７】
請求項１、請求項２、請求項３、請求項４、請求項５または請求項６記載のリモート制御方式において、前記制御信号はＰＢ信号による制御信号であることを特徴とするリモート制御方式。
【請求項８】
請求項１、請求項２、請求項３、請求項４、請求項５または請求項６記載のリモート制御方式において、前記制御信号は音声信号による制御信号であることを特徴とするリモート制御方式。
【請求項９】
請求項４記載のリモート制御方式において、前記リモート制御の対象機器は、前記着信音の波形値を示すディジタルデータをあらかじめ前記着信音記憶部に記憶させるための動作モードを設定する操作手段を備えることを特徴とするリモート制御方式。
【請求項１０】
（Ａ）コードレス電話機が、着信があった電話機の電話番号を検出し、その電話番号を、あらかじめ登録された特定の電話機の電話番号と照合して同じ電話番号であると判定したとき、前記着信が前記電話機からの着信であることを認識する第１のステップと、（Ｂ）コードレス電話機が、前記特定の電話機に対応する特定の着信音をコードレス電話子機に鳴動させる第２のステップと、（Ｃ）前記特定の着信音は音響カプラでアナログ電気信号に変換され、前記着信音のアナログ波形値をディジタル化し着信音の波形値を示すディジタルデータとして、リモート制御の対象機器に出力され、前記リモート制御の対象機器が予め記憶しておいた、前記特定の電話機からの着信音の波形値を示すディジタルデータとを照合して、同じ音響パターンを示す着信音か否かを判定する第３のステップと、（Ｄ）前記リモート制御の対象機器が、同じ着信音であると認識したとき、コードレス電話子機の充電式電池を充電するための充電器に供給している電源をオフとする第４のステップと、（Ｅ）前記充電するために充電器にセットされた状態にある前記コードレス電話子機は、前記充電器の電源がオフとされると、疑似的にオフフックされたときの動作状態に入り、前記着信に対してのコードレス電話子機の応答動作により着信接続が行われ、発信した前記特定の電話機と前記コードレス電話子機とが接続される第５のステップと、（Ｆ）前記リモート制御のために発信した前記特定の電話機と、前記制御対象機器に接続された前記コードレス電話子機とが接続された状態になり、前記特定の電話機側からのリモート制御が行われて、そのリモート制御に対応した制御コードを含むＰＢ信号が前記電話機側から送出されたとき、前記ＰＢ信号も前記音響カプラを介して前記制御対象機器に入力される第６のステップと、（Ｇ）前記制御コードを受け取った前記制御対象機器が、前記リモート制御の目的である制御を行う第７のステップと、（Ｈ）前記制御が完了したとき、前記制御対象機器は、前記充電器に供給されている電源をオンとさせる第８のステップと、（Ｉ）前記充電器の電源がオンとされることにより、それまで疑似的にオフフックの動作状態にあった前記コードレス電話子機が擬似的にオンフックの動作状態に戻って、前記電話機との接続を解除する動作を行い、前記コードレス電話子機と前記特定の電話機との接続が解除される第９のステップ、を備えることを特徴とするリモート制御方法。
【発明の詳細な説明】
【０００１】
【発明の属する技術分野】
本発明はリモート制御方式に関し、特に電話回線を使用したリモート制御方式に関する。
【０００２】
【従来の技術】
電話回線を使用して遠隔地の機器をリモート制御したり、あるいは遠隔地の機器との間でデータを送受信する場合、遠隔地の機器側では、電話回線で送受信される制御信号あるいはデータが電話端末とその電話端末に接続される上記機器との間で送受信されることになる。このとき、電話端末とその電話端末に接続される機器との間が近接していて容易にケーブルで相互を接続できれば問題ないが、多くの場合は電話端末とその電話端末に接続される機器との間が離れているので、その間にケーブルを配線して相互に接続しようとするといろいろと不都合な問題を生ずる場合が多い。
【０００３】
このような問題を解決するための技術として、遠隔地の機器側に接続される電話端末としてコードレス電話端末を用いる技術が開発されている。特開平５−７２５５号公報には、遠隔地の機器側に接続される電話端末としてコードレス電話機を用いる技術が記載されている。ケーブル配線の必要がないコードレス電話機の子機は、遠隔地の機器としてのパーソナルコンピュータに容易に近接して設置できるので、コードレス電話機を遠隔地の機器側に接続される電話端末として使用することで、電話端末とその電話端末に接続される機器との間の、上述したケーブルの配線に伴なって生ずる不都合な問題は容易に解決される。
【０００４】
この技術では、コードレス電話機の子機をパーソナルコンピュータに接続するために、コードレス電話機の子機とパーソナルコンピュータとの間を音響カプラにより接続してデータ等の受け渡しを行うようにしているが、このようにコードレス電話機の子機とパーソナルコンピュータとの間を音響カプラにより接続することにより、市販の通常のコードレス電話機を遠隔地の機器側に接続される電話端末として使用することができる。
【０００５】
上記技術では、コードレス電話機の子機を構成するハンドセットの送話器及び受話器の部分を、音響カプラ装置のスピーカ及びマイクの上に乗せて使用されるようになっており、音響カプラを介してコードレス電話機の子機とパーソナルコンピュータとの間でデータ等の受け渡しが行われるようになっている。上記音響カプラ装置には、コードレス電話機の子機の充電式電池に対して充電電流を供給する充電手段が設けられており、常時コードレス電話機の子機の充電式電池に対して充電電流が供給されるようになっている。
【０００６】
しかし、上記技術は、パーソナルコンピュータが接続されるコードレス電話機への相手の電話機からの着信に対して、あらかじめ人間がオフフック操作をして着信接続を行った後に行われる技術であるので、人間がいない遠隔地のリモート制御の対象機器を制御する場合には上記技術を用いることはできない。
【０００７】
もし、この技術を人間のいない遠隔地のリモート制御の対象機器を制御するために用いる場合は、リモート制御の対象機器に接続されたコードレス電話機の子機側では、着信があったときに自動的にオフフックが行われるように構成されたコードレス電話機の子機が必要となり、市販の通常のコードレス電話機の子機を使用することができないという不便さの問題が生じる。
【０００８】
上記では市販の通常のコードレス電話機を使用した場合は、リモート制御の対象機器に接続されるコードレス電話機に着信があったときに子機にオフフック動作を自動的に行わせることができないという問題について述べたが、上記技術では、リモート制御が終了して通話状態の終了動作、すなわちオンフック動作を行う段階になっても、コードレス電話機から通話状態の終了動作を自動的に行わせることができないという問題も有している。
【０００９】
また、実開平６−４１２６０号公報には、電話回線を利用して電話機に接続された無線機を介し電話機から離れた場所にある音響機器を制御する技術についての記載があるが、この場合も、上記電話機への着信があったときのオフフック動作及びリモート制御が終了したときのオンフック動作を上記電話機に自動的に行わせることができないという問題を有している。
【００１０】
【発明が解決しようとする課題】
上述したように、従来のリモート制御方式では、市販の通常のコードレス電話機を使用した場合、着信があったときのオフフック動作及びリモート制御が終了したときの通話状態の終了動作であるオンフック動作を自動的に行わせることができないという欠点を有している。
【００１１】
本発明の目的は、被制御対象機器に接続されたコードレス電話機または携帯電話機などの携帯式の無線電話機に着信があったときに、無線電話機の動作状態を自動的にオフフック時の動作状態と同様の動作状態にし、また、リモート制御が終了したときにも、自動的にオンフック時の動作状態と同様の動作状態にすることができるリモート制御方式を提供することにある。
【００１２】
【課題を解決するための手段】
第１の発明のリモート制御方式は、リモート制御の対象機器に対して電話回線を使用して制御信号を送信しリモート制御を行うリモート制御方式において、（Ａ）あらかじめ電話番号が登録された特定の電話機からの着信を検出するナンバーディスプレイ機能を具備し、前記特定の電話機からの着信があったときに着信音を、前記特定の電話機に対応する特定の着信音に変更する、充電式電池を内蔵した無線電話機、（Ｂ）前記無線電話機の充電式電池を充電する充電器、（Ｃ）前記着信があったとき、前記着信を示す着信音が、前記電前話番号をあらかじめ登録された電話機からの着信時における着信音と同じであるか否かを判定する判定手段、を備え、前記着信を示す着信音が前記電話番号をあらかじめ登録された電話機からの着信時における着信音と同じであると前記判定手段が判定したとき、前記充電器に供給する電源をオフに制御し、前記充電器に供給する電源のオフ制御により前記無線電話機を疑似的にオフフック操作の場合と同じ動作状態にして前記無線電話機に着信応答動作を行わせ前記リモート制御を行うことを特徴として構成される。
【００１３】
また、第２の発明のリモート制御方式は、リモート制御の対象機器に対して電話回線を使用して制御信号を送信しリモート制御を行うリモート制御方式において、（Ａ）あらかじめ電話番号が登録された特定の電話機からの着信を検出するナンバーディスプレイ機能を具備し、前記特定の電話機からの着信があったときに着信音を、前記特定の電話機に対応する特定の着信音に変更するコードレス電話親機、（Ｂ）前記コードレス電話親機の子機であり、充電式電池を内蔵するコードレス電話子機、（Ｃ）前記コードレス電話子機の充電式電池を充電する充電器、（Ｄ）前記着信があったとき、前記着信を示す着信音が、前記電話番号をあらかじめ登録された電話機からの着信時における着信音と同じであるか否かを判定する判定手段、を備え、前記着信を示す着信音が前記電話番号をあらかじめ登録された電話機からの着信時における着信音と同じであると前記判定手段が判定したとき、前記充電器に供給する電源をオフに制御し、前記充電器に供給する電源のオフ制御により前記コードレス電話子機を疑似的にオフフック操作の場合と同じ動作状態にして前記コードレス電話子機に着信応答動作を行わせ前記リモート制御を行うことを特徴として構成される。
【００１４】
また、第３の発明のリモート制御方式は、リモート制御の対象機器に対して電話回線を使用して制御信号を送信しリモート制御を行うリモート制御方式において、（Ａ）あらかじめ電話番号が登録された特定の電話機からの着信を検出するナンバーディスプレイ機能を具備し、前記特定の電話機からの着信があったときに着信音を、前記特定の電話機に対応する特定の着信音に変更するコードレス電話親機、（Ｂ）前記コードレス電話親機の子機であり、充電式電池を内蔵するコードレス電話子機、（Ｃ）前記コードレス電話子機の充電式電池を充電する充電器、（Ｄ）前記充電器に給電のためセットされた状態にある前記コードレス電話子機の受話器に装着される音響カプラ、（Ｅ）前記電話番号が登録された電話機からの着信があったときの着信音の波形値を示すディジタルデータをあらかじめ記憶しておく記憶手段、（Ｆ）前記音響カプラから出力される着信音の波形値が前記着信音記憶部に記憶された着信音の波形値と同じであるか否かを判定し、同じであったとき、前記充電器に供給する電源をオフに制御する制御手段、を備え、前記制御手段による前記充電器に供給する電源のオフ制御により前記コードレス電話子機を疑似的にオフフック操作の場合と同じ動作状態にして前記コードレス電話子機に着信応答動作を行わせ前記リモート制御を行うことを特徴として構成される。
【００１５】
また、第４の発明のリモート制御方式は、リモート制御の対象機器に対して電話回線を使用して制御信号を送信しリモート制御を行うリモート制御方式において、（Ａ）あらかじめ電話番号が登録された特定の電話機からの着信を検出するナンバーディスプレイ機能を具備し、前記特定の電話機からの着信があったときに着信音を、前記特定の電話機に対応する特定の着信音に変更するコードレス電話親機、（Ｂ）前記コードレス電話親機の子機であり、充電式電池を内蔵するコードレス電話子機、（Ｃ）前記リモート制御の対象機器から電源の供給を受け、前記コードレス電話子機の充電式電池を充電する充電器、（Ｄ）前記充電器に給電のためセットされた状態にある前記コードレス電話子機の受話器に装着される音響カプラ、（Ｅ）前記リモート制御の対象機器内に設けられ、前記リモート制御の対象機器のリモート制御を行うため前記コードレス電話親機に対して発信するために使用される電話機からの着信があったとき、前記音響カプラから出力されるアナログ電気信号が示す前記着信音のアナログ波形値をディジタル化し前記着信音の波形値を示すディジタルデータとして出力する音響カプラインタフェース部、（Ｆ）前記リモート制御の対象機器内に設けられ、前記電話番号が登録された電話機からの着信時の着信音の波形値を示すディジタルデータをあらかじめ記憶しておく着信音記憶部、（Ｇ）前記リモート制御の対象機器内に設けられ、前記着信音の波形値が前記着信音記憶部に記憶された着信音の波形値と同じであったとき、前記充電器に供給する電源をオフに制御する充電器インタフェース部、（Ｈ）前記リモート制御の対象機器内に設けられ、前記着信音の波形値が前記着信音記憶部に記憶された着信音の波形値と同じであるか否かを判定し、同じであるとき、前記充電器インタフェース部に前記充電器へ供給する電源をオフにさせるよう制御する制御手段、を備え、前記制御手段による前記充電器に供給する電源のオフ制御により前記コードレス電話子機を疑似的にオフフック操作の場合と同じ動作状態にして前記コードレス電話子機に着信応答動作を行わせ前記リモート制御を行うことを特徴として構成される。
【００１６】
また、第５の発明のリモート制御方式は、第１の発明のリモート制御方式において、前記リモート制御の対象機器に対して電話回線を使用して送信された前記制御信号による、前記リモート制御の対象機器に対する制御が完了したとき、前記充電器の電源をオンに制御し前記充電器に供給する電源のオン制御により、それまで前記充電器より外されたときの動作状態と同様のオフフックの動作状態にあった前記無線電話機がオンフックの動作状態に戻って、前記電話番号登録された電話機との接続を解除する動作を行うことを特徴として構成される。また、第６の発明のリモート制御方式は、第２、第３または第４の発明のリモート制御方式において、前記リモート制御の対象機器に対して電話回線を使用して送信された前記制御信号による、前記リモート制御の対象機器に対する制御が完了したとき、前記充電器の電源をオンに制御し前記充電器に供給する電源のオン制御により、それまで前記充電器より外されたときの動作状態と同様のオフフックの動作状態にあった前記コードレス電話子機がオンフックの動作状態に戻って、前記電話番号登録された電話機との接続を解除する動作を行うことを特徴として構成される。
【００１７】
また、第７の発明のリモート制御方式は、第１、第２、第３、第４、第５または第６の発明のリモート制御方式において、前記制御信号はＰＢ信号による制御信号であることを特徴として構成される。また、第８の発明のリモート制御方式は、第１、第２、第３、第４、第５または第６のリモート制御方式において、前記制御信号は音声信号による制御信号であることを特徴として構成される。また、第９の発明のリモート制御方式は、第４の発明のリモート制御方式において、前記リモート制御の対象機器は、前記着信音の波形値を示すディジタルデータをあらかじめ前記着信音記憶部に記憶させるための動作モードを設定する操作手段を備えることを特徴として構成される。
【００１８】
また、第１０の発明のリモート制御方法は、（Ａ）コードレス電話機が、着信があった電話機の電話番号を検出し、その電話番号を、あらかじめ登録された特定の電話機の電話番号と照合して同じ電話番号であると判定したとき、前記着信が前記電話機からの着信であることを認識する第１のステップと、（Ｂ）コードレス電話機が、前記特定の電話機に対応する特定の着信音をコードレス電話子機に鳴動させる第２のステップと、（Ｃ）前記特定の着信音は音響カプラでアナログ電気信号に変換され、前記着信音のアナログ波形値をディジタル化し着信音の波形値を示すディジタルデータとして、リモート制御の対象機器に出力され、前記リモート制御の対象機器が予め記憶しておいた、前記特定の電話機からの着信音の波形値を示すディジタルデータとを照合して、同じ音響パターンを示す着信音か否かを判定する第３のステップと、（Ｄ）前記リモート制御の対象機器が、同じ着信音であると認識したとき、コードレス電話子機の充電式電池を充電するための充電器に供給している電源をオフとする第４のステップと、（Ｅ）前記充電するために充電器にセットされた状態にある前記コードレス電話子機は、前記充電器の電源がオフとされると、疑似的にオフフックされたときの動作状態に入り、前記着信に対してのコードレス電話子機の応答動作により着信接続が行われ、発信した前記特定の電話機と前記コードレス電話子機とが接続される第５のステップと、（Ｆ）前記リモート制御のために発信した前記特定の電話機と、前記制御対象機器に接続された前記コードレス電話子機とが接続された状態になり、前記特定の電話機側からのリモート制御が行われて、そのリモート制御に対応した制御コードを含むＰＢ信号が前記電話機側から送出されたとき、前記ＰＢ信号も前記音響カプラを介して前記制御対象機器に入力される第６のステップと、（Ｇ）前記制御コードを受け取った前記制御対象機器が、前記リモート制御の目的である制御を行う第７のステップと、（Ｈ）前記制御が完了したとき、前記制御対象機器は、前記充電器に供給されている電源をオンとさせる第８のステップと、（Ｉ）前記充電器の電源がオンとされることにより、それまで疑似的にオフフックの動作状態にあった前記コードレス電話子機が擬似的にオンフックの動作状態に戻って、前記電話機との接続を解除する動作を行い、前記コードレス電話子機と前記特定の電話機との接続が解除される第９のステップ、を備えることを特徴として構成される。
【００１９】
【発明の実施の形態】
次に、本発明の実施の形態について図面を参照して説明する。
【００２０】
本発明は、様々な家電製品に適用可能であるが、ここではビデオデッキに適用する場合を一例として例に挙げて説明する。
【００２１】
図１は、本発明のリモート制御方式の実施の一形態を示すブロック図である。
【００２２】
図１に示す本実施の形態のリモート制御方式は、あらかじめ電話番号を登録された特定の電話機からの着信を検出することができるナンバーディスプレイ機能を具備し、前記の特定電話機からの着信があったときに、着信音をあらかじめ定められた特定の着信音に変更するコードレス電話機の親機であるコードレス電話親機１と、前記コードレス電話機の子機であり、充電式電池を内蔵するコードレス電話子機２と、録画予約等の設定動作のリモート制御の対象となるビデオデッキ１１ａから電源の供給を受けるための接栓３ａを他端に有する電源コード３ｂが接続された、コードレス電話子機２に内蔵される充電式電池を充電する充電器３と、後述する音響カプラインタフェース部５ａに設けられた接栓１５と嵌合する接栓４ａを他端に有するコード４ｂが接続され、給電のため充電器３にセットされた状態にあるコードレス電話子機２の受話器に装着され、受話器から出力される音響信号をアナログ電気信号に変換してコード４ｂを介して出力する音響カプラ４と、ビデオデッキ１１ａ内に設けられ、コード４ｂの接栓４ａと嵌合する接栓１５を有し、ビデオデッキ１１ａのリモート制御を行うためコードレス電話機に対して発信するために使用される電話機からの着信があったとき、音響カプラ４から出力されるアナログ電気信号が示す着信音のアナログ波形値をディジタル化し着信音の波形値を示すディジタルデータとして出力する音響カプラインタフェース部５ａと、ビデオデッキ１１ａ内に設けられ、電話番号が登録された電話機からの着信時の着信音の波形値を示すディジタルデータをあらかじめ記憶しておく着信音記憶部７と、ビデオデッキ１１ａ内に設けられ、充電器３の電源コード３ｂの接栓３ａと嵌合する接栓１６を有し、着信音の波形値が着信音記憶部７に記憶された着信音の波形値と同じであるか否かに従って充電器３に供給する電源のオン・オフを制御する充電器インタフェース部６と、ビデオデッキ１１ａ内に設けられ、音響カプラインタフェース部５ａ、充電器インタフェース部６及び着信音記憶部７を制御するリモコン機能制御部８と、ビデオデッキ１１ａ内に設けられ、充電器インタフェース部６に電源を供給する電源部１２と、後述する着信音を記憶させるためのモード、すなわちコードレス電話子機２の着信音を記憶させるための動作モードである着信音設定・記憶モードにビデオデッキ１１ａの動作モードを設定するための制御入力、及び着信音設定・記憶モードを解除をするための制御入力をビデオデッキ１１ａに行い、かつビデオデッキ１１ａの動作状態を表示する操作・表示部１３と、操作・表示部１３からの上記制御入力を受けてデオデッキ１１ａ内の各部の制御を行うビデオ機能制御部１４とから構成される。
【００２３】
上述したように、本発明では、ナンバーディスプレイ機能を具備し、前記の特定電話機からの着信があったときに、着信音をあらかじめ定められた特定の着信音に変更することができるコードレス電話機を使用し、さらに、コードレス電話機は、あらかじめ用意された複数の着信音のメニューを有し、メニューにある複数の着信音をそれぞれ鳴動させてみて、そのメニューの中から好みに合った着信音を選択し、その着信音を上記の特定の着信音として設定することができるコードレス電話機であるものとする。
【００２４】
また、図１に示す本実施の形態のリモート制御方式は、上記の構成を有し、図１に示すように、充電器３にはコードレス電話子機２が置かれ、そのコードレス電話子機２の送受話器には音響カプラ４が装着される。また、充電器インタフェース部６の接栓１６には充電器３の電源コード３ｂの先端の接栓３ａが接続され、音響カプラインタフェース部５ａの接栓１５には、音響カプラ４に接続されるコード４ｂの一端の接栓４ａが接続される。
【００２５】
次に、図１、図２を参照して本発明の図１に示す本実施の形態のリモート制御方式の、使用に入る前の各機器のセッティングについて説明する。
【００２６】
図１に示す本実施の形態のリモート制御方式により、外部から電話回線を使用してリモート制御を行うためには、ナンバーディスプレイ機能の動作を行わせるために登録が必要な特定の電話番号の設定をコードレス電話機で行う必要があり、さらに、ナンバーディスプレイ機能により上記の特定の電話番号相手を認識したときにコードレス電話子機２が鳴動させる、通常の着信音の音響パターンと違った特定の音響パターンを有する着信音の設定をコードレス電話機で行う必要がある。この着信音の設定は、その中から選択して着信音として用いることができる、コードレス電話機にあらかじめ用意されている複数の着信音のメニューの中から、１つの着信音を選択して設定する。
【００２７】
上述したように、電話回線を介して制御信号を送信して制御対象のビデオデッキ１１ａのリモート制御を行うためコードレス電話機に対して発信するために使用される電話機の電話番号を、あらかじめコードレス電話機に登録しておく必要があるが、ここでは、コードレス電話機が具備しているナンバーディスプレイ機能の動作を行わせるために登録を行う特定の電話番号として上記のリモート制御を行うため使用する電話機の電話番号（例えば、ビデオデッキ１１ａの所有者の、図示しない携帯電話機の電話番号とする）がコードレス電話機にあらかじめ登録されているものとする。
【００２８】
なお、ナンバーディスプレイ機能を動作させるための上記電話機の電話番号の設定方法は周知のことであり、また電話機にあらかじめ用意されている複数の着信音のメニューの中から１つの着信音を選択して設定する方法についても周知のことであるので、ここでは詳細説明を省略する。
【００２９】
また、上記に述べた制御信号としてはＰＢ（Ｐｕｓｈ  Ｂｕｔｔｏｎ：プッシュボタン）信号を用いるものとして下記の動作説明で説明するが、制御対象のビデオデッキ１１ａのリモート制御を行うときコードレス電話機へ発信するために使用される上記携帯電話機は、上記制御信号としてＰＢ信号を発信するための操作が可能な携帯電話機であるものとする。
【００３０】
次に、図１及び図２を参照し、上記に述べた、ビデオデッキ１１ａのリモート制御を行うための着信があったときにコードレス電話子機２に鳴動させる着信音を設定しその着信音を記憶させる方法について説明する。
【００３１】
上記の着信音を設定し記憶させるためには、上述したように、制御対象のビデオデッキ１１ａをリモート制御することができる状態、すなわち携帯電話機の電話番号のコードレス電話機への登録が完了した状態で、充電のため充電器３にセットされた状態のままのコードレス電話子機２に音響カプラ４を装着し、音響カプラ４に接続されたコード４ｂの接栓４ａをビデオデッキ１１ａに内蔵される音響カプラインタフェース部５ａの接栓１５に接続する（図２に示すＳ２１：ステップ２１、図２ではステップをＳと表す）。さらに、充電器３に電源を供給するため、充電器３の電源コード３ｂの接栓３ａをビデオデッキ１１ａに内蔵される充電器インタフェース部６の接栓１６に接続する（ステップ２２）。
【００３２】
次に、ビデオデッキ１１ａの操作・表示部１３において、上記着信音を設定し記憶させるためのモード、すなわちコードレス電話子機２の上記着信音を設定しその着信音を記憶させるための動作モードである着信音設定・記憶モードにビデオデッキ１１ａの動作モードを設定するための制御入力の操作を行うと、その制御入力を受けてビデオデッキ１１ａのビデオ機能制御部１４によって、ビデオデッキ１１ａの動作モードが上記着信音設定・記憶モードに設定されるとともに、リモコン機能制御部８に着信音設定・記憶モードの設定が通知され、リモコン機能制御部８が着信音設定・記憶モードの動作の制御を行うようにビデオ機能制御部１４から指示されて、ビデオデッキ１１ａの動作モードが着信音設定・記憶モードの状態に入る。また、ビデオ機能制御部１４によってビデオデッキ１１ａの動作モードが着信音設定・記憶モードに設定されたことが操作・表示部１３に表示される（ステップ２３）。
【００３３】
上記着信音設定・記憶モードにおいて、コードレス電話機へ発信するために使用される、図示しない携帯電話機（上述した登録済みの電話番号を有する）からの着信があったときに鳴動させるべき特定の着信音を設定するための操作を、コードレス電話機に対してあらかじめ定められた手順に従って行うことで特定の着信音を設定する（ステップ２４）。また、設定された上記の特定の着信音をコードレス電話子機２に鳴動させるための所定の操作をコードレス電話機に対して行うと、その操作によりコードレス電話子機２が上記着信音を鳴動する（ステップ２５）。
【００３４】
その着信音は音響カプラ４でアナログ電気信号に変換され、着信音の音響パターンを示すアナログ電気信号として音響カプラ４から出力されるが、音響カプラインタフェース部５ａがそのアナログ電気信号をアナログ電気信号２１として入力し、アナログ電気信号２１が示す着信音のアナログ波形値がディジタル化され、着信音の波形値を示すディジタルデータ２２としてリモコン機能制御部８に出力される。さらに、リモコン機能制御部８によって、音響カプラインタフェース部５ａから入力されたディジタルデータ２２が着信音の波形値を示すデータとして着信音記憶部７に記憶される（ステップ２６）。
【００３５】
リモコン機能制御部８による、着信音の波形値を示すディジタルデータを着信音記憶部７に記憶させる動作が完了すると、リモコン機能制御部８からビデオ機能制御部１４にこの旨が通知され、ビデオ機能制御部１４によって操作・表示部１３にこのことを示す表示が行われる。操作・表示部１３の上記表示により、ビデオデッキ１１ａの操作・表示部１３の操作により着信音設定・記憶モードを解除する操作入力を行うと、この操作入力を受けてリモコン機能制御部８によって着信音設定・記憶モードが解除される（ステップ２７）。
【００３６】
以上の動作で、ビデオデッキ１１ａのリモート制御を行うための着信があったときにコードレス電話子機２に鳴動させる着信音の設定が終了する。
【００３７】
上記に述べた設定によって、コードレス電話機に電話番号が登録された携帯電話機から、ビデオデッキ１１ａのリモート制御のための発信を行ったときに、下記に述べるように、コードレス電話子機２を自動的にフックオフ時の動作状態にし、携帯電話機からコードレス電話子機２を介してビデオデッキ１１ａへリモート制御信号を送出させることが可能な状態となる。
【００３８】
次に、図１及び図３を参照し、携帯電話からビデオデッキ１１ａの録画予約等の設定動作をリモート制御するときの動作を説明する。
【００３９】
例えばビデオデッキ１１ａの所有者が外出して外出先でＴＶ番組の録画予約の追加を思いつき、上述したようにその電話番号が登録されている携帯電話機でコードレス電話機の電話番号をダイヤルしコードレス電話機に電話をかけた場合について説明する。
【００４０】
電話番号がコードレス電話機に登録された上記携帯電話機からの着信がコードードレス電話機にあると、コードレス電話機はナンバーディスプレイ機能により、着信があったその電話機の電話番号を検出し、電話番号を登録された特定の電話機の電話番号と照合して同じ電話番号であると判定したとき、その着信が上記携帯電話機からの着信であることを認識し（ステップ３１）、コードレス電話子機２に、電話番号が登録された電話機に対応する特定の着信音を鳴動させる（ステップ３２）。
【００４１】
コードレス電話子機２が鳴動した上記特定の着信音は音響カプラ４でアナログ電気信号に変換され、着信音の音響パターンを示すアナログ電気信号として音響カプラ４から音響カプラインタフェース部５ａに出力される。音響カプラインタフェース部５ａは、音響カプラ４から出力されたアナログ電気信号２１を入力して、アナログ電気信号２１が示す着信音のアナログ波形値をディジタル化し着信音の波形値を示すディジタルデータ２２としてリモコン機能制御部８に出力する。
【００４２】
リモコン機能制御部８は、このディジタルデータ２２と、上述した着信音の設定動作時に着信音記憶部７に記憶させておいた、電話番号が登録された電話機からの着信時の着信音の波形値を示すディジタルデータとを照合して、同じ音響パターンを示す着信音か否かを判定する（ステップ３３）。
【００４３】
リモコン機能制御部８は、同じ信号であると認識したときは、ビデオ電源１２から供給され接栓１６、接栓３ａ及び電源コード３ｂを介して充電器インタフェース部６が充電器３に供給している電源をオフとさせる指示を充電器インタフェース部６に対して行い、この指示を受けた充電器インタフェース部６は、内蔵する図示しない、電源をオン・オフするためのスイッチにより充電器３に供給している電源をオフとさせる（ステップ３４）。
【００４４】
図１に示すように、充電するため充電器３にセットされた状態にあるコードレス電話子機２は、充電器３の電源がオフとされると、人間の手で持ち上げられて充電器３より外されたときの動作状態と同様の動作状態になる。すなわち、コードレス電話子機２は疑似的にオフフックされたときの動作状態に入ることになり、コードレス電話機への上記の携帯電話機からの着信に対してのコードレス電話子機２の応答動作が行われる。この結果、図示しない交換機によってコードレス電話機への着信接続が行われ、発信した上記の携帯電話機とコードレス電話子機２とが接続される（ステップ３５）。
【００４５】
このようにして、リモート制御のために発信した携帯電話機と、ビデオデッキ１１ａに接続されたコードレス電話子機２との間が接続され電話回線がつながった状態になり、この状態で上記の発信をしてきた携帯電話機側からのリモート制御が行われて、そのリモート制御に対応した制御コードを含むＰＢ信号が上記の発信をしてきた携帯電話機側から送出されてくると、このＰＢ信号も音響カプラ４を介して音響カプラインタフェース部５ａに入力される。音響カプラインタフェース部５ａは入力されたＰＢ信号から上記制御コードを抽出してリモコン機能制御部８へ出力する（ステップ３６）。
【００４６】
上記制御コードを受け取ったリモコン機能制御部８は、その制御コードが示す制御内容をビデオ機能制御部１４へ通知する。この通知によって、ビデオ機能制御部１４が上記リモート制御の目的である録画予約等の、ビデオデッキ１１の設定動作の制御を行う（ステップ３７）。
【００４７】
ビデオ機能制御部１４による上記設定動作の制御が完了したとき、ビデオ機能制御部１４はリモコン機能制御部８へこの旨を通知する。通知を受けたリモコン機能制御部８は、充電器インタフェース部６を制御し、充電器３に供給されている電源をオンとさせる（ステップ３８）。充電器３の電源がオンとされることにより、それまで充電器３より外されたときの動作状態と同様のオフフックの動作状態にあったコードレス電話子機２がオンフックの動作状態に戻って、図示しない交換機に対して携帯電話機との接続を解除する動作を行い、その交換機によってコードレス電話子機２と携帯電話機との接続が解除される（ステップ３９）。
【００４８】
上記の説明では、コードレス電話機宛の電話によってビデオデッキに対するリモコン制御が行われる場合を説明したが、コードレス電話機の代りに携帯電話機を使用し、コードレス電話子機の電池を充電するための充電器の代りに携帯電話機の電池を充電するための充電器を使用するようにしてもよい。この構成で、例えば外出先から、リモコン制御が行われる対象機器に接続される携帯電話機へ電話をすれば、上記の説明と同様の動作が行われ、リモコン制御の対象機器を遠隔地からリモート制御することができる。
【００４９】
このときも、リモコン制御の対象機器に接続されて使用される携帯電話機は、ナンバーディスプレイ機能を具備し、特定電話機からの着信があったときに着信音を特定の着信音に変更することができる携帯電話機を使用し、さらに、あらかじめ用意された複数の着信音のメニューを有し、メニューの中の着信音をそれぞれ携帯電話機に鳴動させて見て、好みに合った着信音をメニューの中から選択し、その着信音を上記の特定の着信音として設定することができる携帯電話機が使用される。
【００５０】
また、上記の説明では、リモコン制御が行われるとき、制御信号用にＰＢ信号が使用されることで説明したが、音声認識機能を有する音響カプラインタフェース部を使用すれば、制御信号用のＰＢ信号を使用せずに、音声でリモコン制御の対象機器をリモート制御することができる。その場合は、制御の対象機器に対してリモート制御を行いたい制御項目を音声で送信側の携帯電話機の送話器に対して発声すると、発声された音声を表す音声信号はリモコン制御が行われる対象機器に接続されたコードレス電話機あるいは携帯電話機へ送信されて、それを受信したコードレス電話機あるいは携帯電話機から音響カプラを介して音響カプラインタフェース部へ上記音声信号が出力され、さらに、音響カプラインタフェース部ではその音声信号に対する音声認識を行って、その音声信号が示す制御項目を認識しリモコン機能制御部にその制御項目に対応する制御コードを出力する。その後は上記の説明と同様の動作が行われリモコン制御の対象機器を制御することができる。
【００５１】
なお、上述したように、コードレス電話機の代りに携帯電話機を使用し、かつ制御信号用のＰＢ信号を使用せずに、音声でリモコン制御の対象機器をリモート制御する場合の、本発明のリモート制御方式の実施の一形態を示すブロック図を図４に示す。
【００５２】
図４の本発明のリモート制御方式の実施の一形態のビデオデッキ１１ｂは、音響カプラインタフェース部５ｂを有している点が図１の本発明のリモート制御方式の実施の一形態のビデオデッキ１１ａと異なる。ビデオデッキ１１ｂの音響カプラインタフェース部５ｂは、図１の音響カプラインタフェース部５ａと違って音声認識手段（図示せず）を内蔵していて、制御項目を伝える音声信号が送信されてきたとき、音声認識手段によって音声信号から制御項目を認識してその制御項目に対応する制御コードをリモコン機能制御部８に出力する。
【００５３】
なお、図４に示す実施の形態のリモート制御方式における着信音の設定操作時の動作は、図２に示す、図１の実施の形態のリモート制御方式の場合の着信音の設定操作時の動作と同様であり、また、図４に示す実施の形態のリモート制御方式におけるリモート制御時の動作は、図３に示す、図１の実施の形態のリモート制御方式の場合のリモート制御時の動作と同様である。
【００５４】
また、上記の説明では、図示しない携帯電話機から、コードレス電話機または携帯電話機を介してビデオデッキ１１ａまたはビデオデッキ１１ｂへ送信されてくるリモート制御信号を、ビデオデッキ１１ａまたはビデオデッキ１１ｂが受信しビデオデッキ１１ａまたはビデオデッキ１１ｂ内でリモート制御を行い、その制御動作が完了してリモート制御が終了するように説明したが、ビデオデッキ１１ａまたはビデオデッキ１１ｂ内でリモート制御が正常に行われたことをリモート制御信号を送信してきた携帯電話機へ知らせる場合には、次のように応答信号を返送してもよい。
【００５５】
すなわち、ビデオデッキのビデオ機能制御部、リモコン機能制御部及び音響カプラインタフェース部に、上記応答信号を返送するための下記のような機能を持たせ、ビデオデッキのビデオ機能制御部からリモート制御の結果をリモコン機能制御部へ通知し、リモコン機能制御部が音響カプラインタフェース部へ、リモート制御のためのＰＢ信号または音声信号を送信してきた携帯電話機へ知らせるためのディジタルの応答信号を生成して出力し、さらに、そのディジタル応答信号を音響カプラインタフェース部が音声帯域のアナログ電気信号に変換してコードレス電話子機２または携帯電話機１７に入力するようにする。
【００５６】
また、図１及び図４では、音響カプラインタフェース部５ａ，５ｂ、充電器インタフェース部６、着信音記憶部７、リモコン機能制御部８、ビデオ電源１２、操作・表示部１３、及びビデオ機能制御部１４が、ビデオデッキ１１ａまたはビデオデッキ１１ｂに収容されているが、これらの各部を最初からビデオデッキ１１ａに収容するのではなく、これらの各部を収容するスペースをあらかじめ設けておいて、必要に応じて（リモート制御の必要があったとき）上記の各部を追加すればよいように構成してもよい。あるいは、上記の各部を別の筐体に収容するようにして、この筐体とビデオデッキ１１ａ，１１ｂとの相互のインタフェース回路を前記筐体とビデオデッキ１１ａ，１１ｂに設けるようにしておき、必要に応じて、上記の各部を収容した前記筐体、充電器３、音響カプラ４、及びコードレス電話親機１とコードレス電話子機２、または携帯電話機１７を用意すればリモート制御が可能となるようにしてもよい。
【００５７】
【発明の効果】
以上説明したように、本発明のリモート制御方式は、ナンバーディスプレイ機能を具備し、また、充電式電池を内蔵した、コードレス電話機あるいは携帯電話機などの市販の通常の携帯式無線電話機を使用して、あらかじめ電話番号が登録された電話機からの着信があったときに着信音を変更するように設定し、着信音があったとき、その着信音が電話番号をあらかじめ登録された電話機からの着信音と同じであれば、無線電話機の充電器への供給電源をオフにし無線電話機の動作状態を自動的にオフフック時の動作状態と同様の動作状態にして無線電話機に着信応答動作を行わせ、また、リモート制御が終了したときにも、無線電話機の充電器への供給電源をオンにし無線電話機の動作状態を自動的にオンフック時の動作状態と同様の動作状態にして通話状態の終了動作を行わせるように構成することにより、外出先などから電話回線を使用してリモート制御したい家電機器とリモート制御に使用する電話端末との間を、布設が困難な屋内配線コードで接続する必要もなく、容易にリモート制御を可能にすることができるという効果を有している。
【００５８】
また、上記無線電話機を上記のようにリモート制御方式に使用するとき、その無線電話機に対して特別な回路や構造上の追加・変更を必要としないでリモート制御方式を実現できるという効果を有している。
【図面の簡単な説明】
【図１】本発明のリモート制御方式の第１の実施の一形態を示すブロック図である。
【図２】第１の実施の形態のリモート制御方式における着信音の設定操作時の動作の一例を示す流れ図である。
【図３】第１の実施の形態のリモート制御方式におけるリモート制御時の動作の一例を示す流れ図である。
【図４】本発明のリモート制御方式の第２の実施の一形態を示すブロック図である。
【符号の説明】
１    コードレス電話親機
２    コードレス電話子機
３    充電器
３ａ    接栓
３ｂ    電源コード
４    音響カプラ
４ａ    接栓
４ｂ    コード
５ａ，５ｂ    音響カプラインタフェース部
６    充電器インタフェース部
７    着信音記憶部
８    リモコン機能制御部
１１ａ，１１ｂ    ビデオデッキ
１２    ビデオ電源
１３    操作・表示部
１４    ビデオ機能制御部
１５    接栓
１６    接栓
１７    携帯電話機
２１    アナログ電気信号
２２    ディジタルデータ
【図１】
0003592240.tif 000002
【図２】
0003592240.tif 000003
【図３】
0003592240.tif 000004
【図４】
0003592240.tif 000005